(57)【要約】【課題】断熱材の経時変化による防水シートの損傷を抑制又は防止する防水シートの敷設構造及び防水シートの敷設方法を得る。【解決手段】各断熱材２４の中央部にディスク板２８が複数配置され、ディスク板２８の頭部２８Ａに防水シート１６が溶着されるが、当該ディスク板２８において、頭部２８Ａからは突起２８Ｂが突出し、突起２８Ｂが断熱材２４に刺突されるようになっている。これにより、当該ディスク板２８は断熱材２４の平面方向に沿った移動が規制されるようになっているが、ディスク板２８は断熱材２４の厚み方向において固定されているわけではない。したがって、経時変化により断熱材２４が沈み込んだとき、当該断熱材２４に追従してディスク板２８は沈み込むことになる。つまり、断熱材２４の沈み込みに対してディスク板２８が浮き上がることはないため、当該ディスク板２８による防水シート１６の損傷は防止される。【選択図】図３
2014208949.tif 000002
【特許請求の範囲】
【請求項１】
建物における屋根又はベランダに配設された固定枠と、
前記固定枠内の収容部に設けられ、断熱材を含んで構成された断熱層と、
前記断熱層の上面に面接触するように押し付けられた頭部と、前記頭部から突出し前記断熱層に刺突された突起と、を含んで構成されたディスク板と、
前記固定枠に固定されると共に前記ディスク板の頭部に接合されて、前記断熱層を覆う防水シートと、
を有する防水シートの敷設構造。
【請求項２】
前記収容部が複数設けられ、各収容部に対応して防水シートが設けられ、
隣接して配設された収容部を区画する区画枠部に対して一方の収容部に対応する一方の防水シートの端部が固定ビスを介して固定されると共に、前記固定ビスは一方の収容部に隣接された他方の収容部に対応する他方の防水シートの端部によって覆われている請求項１に記載の防水シートの敷設構造。
【請求項３】
前記他方の防水シートの端部は前記一方の防水シートに接合されている請求項２に記載の防水シートの敷設構造。
【請求項４】
前記断熱層は前記断熱材の上面に捨張合板が敷設されて構成され、前記捨張合板に前記ディスク板の突起が刺突されている請求項１〜請求項３の何れか１項に記載の防水シート敷設構造。
【請求項５】
建物における屋根又はベランダに配設される請求項１〜請求項４の何れか１項に記載の前記固定枠内の収容部に断熱層を設ける第１工程と、
請求項１〜請求項４の何れか１項に記載の前記ディスク板の頭部から突出された突起を前記断熱層に刺突させる第２工程と、
前記断熱層を覆う請求項１〜請求項４の何れか１項に記載の前記防水シートを前記固定枠に固定させる第３工程と、
前記固定枠に固定された防水シートを前記ディスク板の頭部に溶着させる第４工程と、
を有する防水シートの敷設方法。
【請求項６】
隣接して配設された収容部を区画する区画枠部に対して一方の収容部に対応する一方の防水シートの端部を固定ビスによって固定させると共に、一方の収容部に隣接された他方の収容部に対応する他方の防水シートの端部によって前記固定ビスを覆う第５工程と、
前記他方の防水シートの端部を前記一方の防水シートに接合させる第６工程と、
を有する請求項５に記載の防水シートの敷設方法。
【発明の詳細な説明】
【技術分野】
【０００１】
本発明は、建物における防水シートの敷設構造及び防水シートの敷設方法に関する。
【背景技術】
【０００２】
従来から建物の屋根やベランダなどにおいて、断熱材及び防水シートが敷設される。例えば、特許文献１及び特許文献２では、防水シートを断熱材に固定させるため、防水シートが接合されるディスク板を用いて断熱材の上から防水シートをビス止めする技術が開示されている。
【先行技術文献】
【特許文献】
【０００３】
【特許文献１】特開２００３−９０１０５号公報
【特許文献２】特開２０１２−１２２２４３号公報
【発明の概要】
【発明が解決しようとする課題】
【０００４】
しかしながら、これらの先行技術では、断熱材が経時変化により沈み込む（へたる）と、ディスク板又は固定ビスは当該断熱材の沈み込みに追従できず、断熱材の上面に対してディスク板又は固定ビスが浮き上がった状態となる。このため、当該断熱材の上面と防水シートとの間には隙間が設けられ、ディスク板のエッジ部又は固定ビスの頭部によって防水シートが傷付けられてしまう可能性がある。
【０００５】
本発明は上記事実を考慮し、断熱材の経時変化による防水シートの損傷を抑制又は防止する防水シートの敷設構造及び防水シートの敷設方法を得ることが目的である。
【課題を解決するための手段】
【０００６】
請求項１に記載の発明に係る防水シートの敷設構造は、建物における屋根又はベランダに配設された固定枠と、前記固定枠内の収容部に設けられ、断熱材を含んで構成された断熱層と、前記断熱層の上面に面接触するように押し付けられた頭部と、前記頭部から突出し前記断熱層に刺突された突起と、を含んで構成されたディスク板と、前記固定枠に固定されると共に前記ディスク板の頭部に接合されて、前記断熱層を覆う防水シートと、を有している。
【０００７】
請求項１に記載の発明に係る防水シートの敷設構造では、建物における屋根又はベランダに固定枠が配設されており、当該固定枠内の収容部には、断熱材を含んで構成された断熱層が設けられている。
【０００８】
ここで、断熱層の上面には、ディスク板の頭部が面接触するように押し付けられるようになっている。このディスク板の頭部からは突起が突出されており、当該突起が断熱層に刺突される。これにより、当該ディスク板は断熱層の平面方向に沿った移動が規制される。
【０００９】
また、固定枠には断熱層を覆う防水シートが固定されており、当該防水シートはディスク板の頭部に接合される。つまり、防水シートにおいて、外側は固定枠によって固定され、内側はディスク板によって固定されるようになっている。
【００１０】
ディスク板は、当該ディスク板の突起が断熱層に刺突されただけであるため、断熱層の厚み方向において固定されているわけではない。したがって、経時変化により断熱層（断熱材）が沈み込んだとき、ディスク板は当該断熱材に追従して沈み込むことになる。このため、断熱材の沈み込みに対してディスク板が断熱層の上面から浮き上がることはなく、当該ディスク板の浮き上がりによる防水シートの損傷は防止される。
【００１１】
請求項２に記載の発明に係る防水シートの敷設構造は、請求項１に記載の発明に係る防水シートの敷設構造において、前記収容部が複数設けられ、各収容部に対応して防水シートが設けられ、隣接して配設された収容部を区画する区画枠部に対して一方の収容部に対応する一方の防水シートの端部が固定ビスを介して固定されると共に、前記固定ビスは一方の収容部に隣接された他方の収容部に対応する他方の防水シートの端部によって覆われている。
【００１２】
請求項２に記載の発明に係る防水シートの敷設構造では、固定枠内に収容部が複数設けられており、各収容部に対応して防水シートが設けられている。つまり、隣接して配設された一方の収容部側には、一方の防水シートが固定枠を介して固定され、他方の収容部側には、他方の防水シートが当該固定枠を介して固定されている。
【００１３】
ここで、固定枠において、一方の収容部と他方の収容部との間を区画する区画枠部には、一方の防水シートの端部が固定ビスを介して固定されている。このため、当該一方の防水シートには、固定ビスにより穴部が形成されることになるが、当該固定ビスは、他方の防水シートの端部によって覆われているので、穴部は他方の防水シートの端部によって塞がれることになる。これにより、収容部内への浸水を防止又は抑制することができる。
【００１４】
請求項３に記載の発明に係る防水シートの敷設構造は、請求項２に記載の発明に係る防水シートの敷設構造において、前記他方の防水シートの端部は前記一方の防水シートに接合されている。
【００１５】
請求項３に記載の発明に係る防水シートの敷設構造では、他方の防水シートの端部は一方の防水シートに接合されているため、複数の防水シートが一体化された状態となり、収容部内への浸水を防止又は抑制することができる。
【００１６】
請求項４に記載の発明に係る防水シートの敷設構造は、請求項１〜請求項３の何れか１項に記載の発明に係る防水シートの敷設構造において、前記断熱層は前記断熱材の上面に捨張合板が敷設されて構成され、前記捨張合板に前記ディスク板の突起が刺突されている。
【００１７】
請求項４に記載の発明に係る防水シートの敷設構造では、断熱層は断熱材の上面に捨張合板が敷設されて構成されている。捨張合板は、断熱材よりも剛性が高いため、ディスク板の突起は、断熱材に刺突される場合よりも、捨張合板に刺突された方が、より強固に刺突されることになる。
【００１８】
請求項５に記載の発明に係る防水シートの敷設方法は、建物における屋根又はベランダに配設される請求項１〜請求項４の何れか１項に記載の前記固定枠内の収容部に断熱層を設ける第１工程と、請求項１〜請求項４の何れか１項に記載の前記ディスク板の頭部から突出された突起を前記断熱層に刺突させる第２工程と、前記断熱層を覆う請求項１〜請求項４の何れか１項に記載の前記防水シートを前記固定枠に固定させる第３工程と、前記固定枠に固定された防水シートを前記ディスク板の頭部に溶着させる第４工程と、を有している。
【００１９】
請求項５に記載の発明に係る防水シートの敷設方法では、第１工程において、建物における屋根又はベランダに配設する固定枠内に断熱層を設け、第２工程において、ディスク板の頭部に設けられた突起を断熱層に刺突させる。これにより、当該ディスク板において、断熱層の平面方向に沿った移動が規制される。また、第３工程では、断熱層を覆う防水シートを固定枠に固定させ、第４工程では、固定枠に固定された防水シートをディスク板の頭部に溶着させる。
【００２０】
上記の第１工程〜第４工程のうち、少なくとも第１工程〜第３工程は工場内での作業が可能であるため、固定枠内に断熱層、ディスク板及び防水シートが設けられたものを防水シート敷設ユニットとして運搬し、当該防水シート敷設ユニットを現場で配設することによって、現場での作業性が向上する。
【００２１】
請求項６に記載の発明に係る防水シートの敷設方法は、請求項５に記載の発明に係る防水シートの敷設方法において、隣接して配設された収容部を区画する区画枠部に対して一方の収容部に対応する一方の防水シートの端部を固定ビスによって固定させると共に、一方の収容部に隣接された他方の収容部に対応する他方の防水シートの端部によって前記固定ビスを覆う第５工程と、前記他方の防水シートの端部を前記一方の防水シートに接合させる第６工程と、を有している。
【００２２】
請求項６に記載の発明に係る防水シートの敷設方法では、隣接して配設された収容部において、一方の収容部側には、一方の防水シートが固定枠を介して固定され、他方の収容部側には他方の防水シートが当該固定枠を介して固定されている。
【００２３】
ここで、固定枠において、一方の収容部と他方の収容部との間を区画する区画枠部には、第５工程において、一方の防水シートの端部を固定ビスによって固定させると共に、他方の防水シートの端部によって当該固定ビスを覆う。次に、第６工程において、当該他方の防水シートの端部を一方の防水シートに接合させる。
【００２４】
これにより、固定ビスを固定させる際に一方の防水シートに形成された穴部を塞ぐと共に、他方の防水シートの端部を一方の防水シートに接合させるため、当該穴部からの収容部内への浸水を防止することができる。
【発明の効果】
【００２５】
以上説明したように、請求項１記載の本発明に係る防水シートの敷設構造は、断熱材の経時変化による防水シートの損傷を抑制又は防止することができる、という優れた効果を有する。
【００２６】
請求項２記載の本発明に係る防水シートの敷設構造は、固定枠における区画枠部において、一方の防水シートと他方の防水シートの端部同士が重なり合うことで、固定ビスによって形成された穴部を塞ぎ、収容部内への浸水を防止することができる、という優れた効果を有する。
【００２７】
請求項３記載の本発明に係る防水シートの敷設構造は、複数の防水シートが一体化され、収容部内への浸水を防止することができる、という優れた効果を有する。
【００２８】
請求項４記載の本発明に係る防水シートの敷設構造は、ディスク板の突起が断熱材に刺突された場合よりも、より強固にディスク板の突起が刺突されるため、ディスク板の据わりがより安定する、という優れた効果を有する。
【００２９】
請求項５記載の本発明に係る防水シートの敷設方法は、現場での作業性が向上し、施工時間を短縮させることができる、という優れた効果を有する。
【００３０】
請求項６記載の本発明に係る防水シートの敷設方法は、建物における屋根又はベランダにおいて、収容部内への浸水を防止又は抑制し、建物の寿命を延ばすことができる、という優れた効果を有する。
【図面の簡単な説明】
【００３１】
【図１】本実施形態に係る防水シートの敷設構造を示す分解斜視図である。
【図２】本実施形態に係る防水シートの敷設構造を示す断面図である。
【図３】（Ａ）は、本実施形態に係る防水シートの敷設構造の一部を構成する断熱材が沈み込む前の状態を示す断面図であり、（Ｂ）は、断熱材が沈み込んだ状態を示す断面図である。
【図４】本実施形態に係る防水シートの敷設構造の変形例を示す断面図である。
【発明を実施するための形態】
【００３２】
以下、本実施形態に係る防水シートの敷設構造が適用された陸屋根について説明する。図１に示されるように、建物１０の屋上に設けられた陸屋根１２の外縁部には、パラペット１４が立設されている。このパラペット１４で囲まれた陸屋根１２の上面に防水シート１６が敷設される。
【００３３】
（防水シートの敷設構造の構成）
ここで、本実施形態に係る防水シートの敷設構造について説明する。
【００３４】
例えば、図１及び図２に示されるように、防水シート敷設ユニット１８の下部には、構造用合板で形成された下地合板２０が設けられており、当該下地合板２０は陸屋根１２の下部を構成する床フレーム（図示省略）に固定される。
【００３５】
下地合板２０の上面には、矩形状を成す木製の固定枠２２が固定されている。固定枠２２は、当該固定枠２２の長手方向に沿って配設された横桟２２Ａ、２２Ｂと、当該横桟２２Ａ、２２Ｂの両端部を架け渡すようにして固定枠２２の幅方向に沿って配設された縦桟２２Ｃ、２２Ｄと、を含んで構成されている。
【００３６】
固定枠２２には、区画枠部２２Ｅ、２２Ｆが固定枠２２の幅方向に沿って配設されており、当該区画枠部２２Ｅ、２２Ｆによって固定枠２２内には複数（ここでは３つ）の収容部２６Ａ、２６Ｂ、２６Ｃが設けられることになる。ここで、収容部２６のうち、隣接する収容部２６Ａ、２６Ｂでは、一方の収容部は収容部２６Ｂとなり、他方の収容部は収容部２６Ａとなる。また、隣接する収容部２６Ｂ、２６Ｃでは、一方の収容部は収容部２６Ｃとなり、他方の収容部は収容部２６Ｂとなる。
【００３７】
また、固定枠２２内には、例えば発泡性の樹脂（例えばポリスチレンフォーム）により構成され断熱層を形成する断熱材２４が収容可能とされるが、各収容部２６Ａ、２６Ｂ、２６Ｃに対応して、矩形板状の断熱材２４Ａ、２４Ｂ、２４Ｃがそれぞれ収容されている。
【００３８】
各断熱材２４Ａ、２４Ｂ、２４Ｃの幅方向の中央部には、当該断熱材２４Ａ、２４Ｂ、２４Ｃの長手方向に沿って所定の間隔で金属製のディスク板２８が複数設けられている。このディスク板２８は頭部２８Ａが円板状を成している。当該頭部２８Ａの下面からは、先端が尖った突起２８Ｂが突出しており、頭部２８Ａの周方向に沿って所定の間隔で複数（ここでは４本）設けられている。
【００３９】
この突起２８Ｂが断熱材２４Ａ、２４Ｂ、２４Ｃにそれぞれ刺突された状態で、ディスク板２８の頭部２８Ａのみが外部に露出された状態となる。なお、この突起２８Ｂは、図３（Ｂ）に示されるように、経時変化により断熱材２４が沈み込んだときでも、下地合板２０に到達しない長さとなるように設定されている。
【００４０】
図１及び図２に示すディスク板２８の頭部２８Ａには、塩化ビニル製の防水シート１６が接着剤等を介して接合（溶着）可能とされる。ここで、防水シート１６は各収容部２６Ａ、２６Ｂ、２６Ｃに対応して、矩形状の防水シート１６Ａ、１６Ｂ、１６Ｃがそれぞれ設けられており、それぞれ固定枠２２に固定されるようになっている。
【００４１】
具体的には、防水シート１６Ａは、固定枠２２における横桟２２Ａ、２２Ｂ及び縦桟２２Ｃに対して固定ビス３０を介して固定され、収容部２６Ａ内に収容された断熱材２４Ａを覆うようになっている。なお、防水シート１６Ａでは、区画枠部２２Ｅに対して固定ビス３０による固定はなされない（後述する）。
【００４２】
また、防水シート１６Ｂは、固定枠２２における横桟２２Ａ、２２Ｂ及び区画枠部２２Ｅに対して固定ビス３０を介して固定され、収容部２６Ｂ内に収容された断熱材２４Ｂを覆うようになっている。なお、防水シート１６Ｂにおいて、区画枠部２２Ｅに対して固定ビス３０が固定された領域を固定ビス固定領域３１Ｂという。また、防水シート１６Ｂでは、区画枠部２２Ｆに対して固定ビス３０による固定はなされない（後述する）。
【００４３】
さらに、防水シート１６Ｃは、固定枠２２における横桟２２Ａ、２２Ｂ及び区画枠部２２Ｆに対して固定ビス３０を介して固定され、収容部２６Ｃ内に収容された断熱材２４Ｃを覆うようになっている。なお、防水シート１６Ｃにおいて、区画枠部２２Ｆに対して固定ビス３０が固定された領域を固定ビス固定領域３１Ｃという。
【００４４】
収容部２６Ａに対応する防水シート１６Ａにおいて、当該収容部２６Ａと隣接する収容部２６Ｂに対応する防水シート１６Ｂ側には、当該防水シート１６Ｂにおける固定ビス固定領域３１Ｂと略同一の面積を有する重合部３３Ａが設けられている。この重合部３３Ａは防水シート１６Ｂが区画枠部２２Ｅに固定された状態で、防水シート１６Ｂにおける当該固定ビス固定領域３１Ｂに重なり溶着される。なお、防水シート１６Ｂ、１６Ｃにおいても防水シート１６Ａと同様、重合部３３Ｂ、３３Ｃがそれぞれ設けられている。
【００４５】
これにより、区画枠部２２Ｅ側では、防水シート１６Ｂにおける固定ビス固定領域３１Ｂが固定ビス３０を介して固定されると共に、当該固定ビス固定領域３１Ｂには防水シート１６Ａの重合部３３Ａが溶着される。また、区画枠部２２Ｆ側では、防水シート１６Ｃにおける固定ビス固定領域３１Ｃが固定ビス３０を介して固定されると共に、当該固定ビス固定領域３１Ｃには防水シート１６Ｂの重合部３３Ｂが溶着される。なお、防水シート１６Ｃでは、防水シート１６Ｃの端部側が固定ビス３０によって縦桟２２Ｄに固定される（固定ビス固定領域３１Ｃ）と共に、重合部３３Ｃが当該固定ビス固定領域３１Ｃに溶着されても良い。
【００４６】
（防水シートの敷設方法）
次に、本実施の形態に係る防水シートの敷設方法について説明する。
【００４７】
図１に示されるように、まず、下地合板２０上に固定枠２２を固定させ、第１工程において、当該固定枠２２の収容部２６Ａ、２６Ｂ、２６Ｃ内に断熱材２４Ａ、２４Ｂ、２４Ｃをそれぞれ収容させる。
【００４８】
次に、第２工程において、断熱材２４Ａ、２４Ｂ、２４Ｃの平面方向における所定位置にそれぞれディスク板２８の突起２８Ｂを刺突させる。これにより、当該ディスク板２８を断熱材２４Ａ、２４Ｂ、２４Ｃの平面方向に対して移動規制させる（図２参照）。
【００４９】
そして、第３工程において、防水シート１６Ａを固定枠２２（横桟２２Ａ、２２Ｂ及び縦桟２２Ｃ）に固定し、防水シート１６Ｂを固定枠２２（横桟２２Ａ、２２Ｂ及び区画枠部２２Ｅ）に固定して、防水シート１６Ｃを固定枠２２（横桟２２Ａ、２２Ｂ及び区画枠部２２Ｆ）に固定する。
【００５０】
第４工程では、防水シート１６をディスク板２８の頭部２８Ａに溶着させる。また、第５工程では、防水シート１６Ｂの固定ビス固定領域３１Ｂを防水シート１６Ａの重合部３３Ａで覆い、防水シート１６Ｃの固定ビス固定領域３１Ｃを防水シート１６Ｂの重合部３３Ｂで覆う。
【００５１】
そして、第６工程において、防水シート１６Ａの重合部３３Ａを防水シート１６Ｂの固定ビス固定領域３１Ｂに溶着させ、防水シート１６Ｂの重合部３３Ｂを防水シート１６Ｃの固定ビス固定領域３１Ｃに溶着させる。そして、防水シート１６Ｃの重合部３３Ｃを当該防水シート１６Ｃにおける固定ビス固定領域３１Ｃに溶着させる。なお、この第４工程と第５工程、第６工程について、作業手順上、その順番は特に問われるものではない。
【００５２】
次に、固定枠２２の上には、建物１０の高さ方向に沿って切断された断面形状が略Ｌ字状を成す水切り部材３２、３４が固定されるようになっている。水切り部材３２は、固定枠２２の横桟２２Ａ、２２Ｂの長手方向の中央部に固定されるようになっており、水切り部材３４は、固定枠２２の縦桟２２Ｃ、２２Ｄの長手方向の中央部にそれぞれ固定されるようになっている。なお、固定枠２２における角部及び横桟２２Ｂ側については、現地において固定される。
【００５３】
（防水シートの敷設構造の作用・効果）
次に、本実施の形態に係る防水シートの敷設構造の作用・効果について説明する。
【００５４】
図１に示されるように、各断熱材２４Ａ、２４Ｂ、２４Ｃの中央部にディスク板２８が複数配置され、ディスク板２８の頭部２８Ａに防水シート１６が溶着されるが、当該ディスク板２８において、頭部２８Ａからは突起２８Ｂが突出し、突起２８Ｂが断熱材２４に刺突されるようになっている。
【００５５】
これにより、図３（Ａ）に示されるように、当該ディスク板２８は断熱材２４の平面方向に沿った移動が規制されるようになっているが、ディスク板２８は断熱材２４の厚み方向において固定されているわけではない。したがって、図３（Ｂ）に示されるように、経時変化により断熱材２４が沈み込んだとき、ディスク板２８は当該断熱材２４に追従して沈み込むことになる。
【００５６】
つまり、断熱材２４の沈み込みに対してディスク板２８が断熱材２４の上面２５から浮き上がることはない。このため、当該ディスク板２８による防水シート１６の損傷は防止される。なお、図３（Ｂ）では、断熱材２４の沈み込みを分かり易く示すため、断熱材２４における実際の沈み込み量よりも過大に示している。
【００５７】
また、図１に示されるように、防水シート１６Ａは固定枠２２（横桟２２Ａ、２２Ｂ及び縦桟２２Ｃ）に固定され、防水シート１６Ｂは固定枠２２（横桟２２Ａ、２２Ｂ及び区画枠部２２Ｅ）に固定されて、防水シート１６Ｃは固定枠２２（横桟２２Ａ、２２Ｂ及び区画枠部２２Ｆ）に固定される。そして、防水シート１６Ｂの固定ビス固定領域３１Ｂに防水シート１６Ａの重合部３３Ａを重ね、防水シート１６Ｃの固定ビス固定領域３１Ｃに防水シート１６Ｂの重合部３３Ｂを重ねる。
【００５８】
そして、防水シート１６Ｂの固定ビス固定領域３１Ｂに防水シート１６Ａの重合部３３Ａを溶着させ、防水シート１６Ｃの固定ビス固定領域３１Ｃに防水シート１６Ｂの重合部３３Ｂを溶着させる。区画枠部２２Ｅ、２２Ｆに固定ビス３０を固定させる際、当該固定ビス３０によって防水シート１６Ｂ、１６Ｃには穴部３６（図１参照）が形成されるが、重合部３３Ｂ、３３Ｃによって穴部３６を塞ぐことができ、当該穴部３６からの浸水を防止することができる。したがって、本実施形態による防水シートの敷設構造によって、陸屋根１２の寿命を延ばすことができる。
【００５９】
また、本実施形態では、防水シートの敷設方法として、第１工程において、図１に示す固定枠２２内に断熱材２４を収容し、第２工程において、ディスク板２８の頭部２８Ａに設けられた突起２８Ｂを断熱材２４に刺突させる。また、第３工程では、断熱材２４を覆う防水シート１６を固定枠２２に固定させ、第４工程では、固定枠２２に固定された防水シート１６をディスク板２８の頭部２８Ａに溶着させる。
【００６０】
上記の第１工程〜第４工程のうち、少なくとも第１工程〜第３工程は工場内での作業が可能であるため、固定枠２２内に断熱材２４、ディスク板２８及び防水シート１６が設けられたものを防水シート敷設ユニット１８として運搬し、防水シート敷設ユニット１８を現場で配設することによって、現場での作業性が向上する。
【００６１】
（その他の実施形態）
本実施形態では、図３（Ａ)に示されるように、断熱材２４によって断熱層を構成し、当該断熱材２４にディスク板２８の突起２８Ｂを刺突しているが、図４に示されるように、断熱材２４の上面２５に捨張合板３８を敷設して断熱層を構成しても良い。この場合、当該捨張合板３８を介して断熱材２４にディスク板２８の突起２８Ｂを刺突させることになる。
【００６２】
捨張合板３８は断熱材２４の上面２５に敷設されているため、経時変化により断熱材２４が沈み込むと、当該捨張合板３８は断熱材２４と共に沈み込む。したがって、断熱材２４の沈み込みに対してディスク板２８が断熱材２４の上面２５から浮き上がることはない。ここで、捨張合板３８は、断熱材２４よりも剛性が高いため、ディスク板２８の突起２８Ｂは、断熱材２４に刺突させる場合よりも、より強固に刺突されることになる。このため、ディスク板２８の据わりがより安定する。
【００６３】
なお、本実施形態では、一つの防水シート敷設ユニット１８について説明したが、陸屋根１２の広さによって複数の防水シート敷設ユニット１８をつなぎ合わせることができる。但し、この場合、下地合板２０同士の継ぎ目には、目地シール（図示省略）が貼着される。さらに、本実施形態では、固定枠２２に複数の収容部２６が設けられているが、一つの固定枠に対して収容部は一つであっても良い。
【００６４】
さらにまた、本実施形態では、建物における陸屋根１２に本発明における防水シートの敷設構造が適用された例について説明したが、これに限るものではく、ベランダ（バルコニも含む）や勾配屋根等に適用されても良い。
【００６５】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００６６】
１０    建物
１２    陸屋根（屋根）
１６    防水シート
１８    防水シート敷設ユニット（防水シートの敷設構造）
２０    下地合板
２２    固定枠
２２Ｅ  区画枠部
２２Ｆ  区画枠部
２４    断熱材（断熱層）
２５    上面
２６    収容部
２８    ディスク板
２８Ａ  頭部
２８Ｂ  突起
３０    固定ビス  
３８    捨張合板（断熱層）
【図１】
2014208949.tif 000003
【図２】
2014208949.tif 000004
【図３】
2014208949.tif 000005
【図４】
2014208949.tif 000006